Podtech/llm-jp-corpus-v4-ja_patent huggingface dataset:
(57)【要約】      （修正有）【課題】大地震に見舞われた場合、避難場所の周囲に防火帯を設け非難住民を保護し、さらに災害時に必要とされる水及び非常用食糧などを備蓄可能とする防災公園用の防火帯を兼ねた防災用水槽及び倉庫技術を提供する。【解決手段】災害時に必要とされる水の確保及び非常用食糧などを、防火帯を兼ねた築山１内に設ける防災用水槽及び倉庫であって、当該システムは、水槽部２とその水槽の側部に設けられた倉庫部３と、水槽部２の点検用に水槽の上方に設けられた管理用空間と、これら全体を包む築山１部とからなり、築山１部は少なくともブロックを築山１の表面に配置しブロック５内部に土を充填して形成され、築山１部を緑化した防災公園用の防火帯を兼ねた防災用水槽及び倉庫である。災害時に必須の水と、非常用部材を周囲の景観を考慮した築山１内に設けた。築山１の傾斜を強くするため、ブロック５で土止めした。【選択図】図１
2010255281.tif 000002
【特許請求の範囲】
【請求項１】
災害時に必要とされる水の確保及び非常用食糧などを、防火帯を兼ねた築山内に設ける防災用水槽及び倉庫であって、当該システムは、水槽部とその水槽の側部に設けられた倉庫部と、水槽部の点検用に水槽の上方に設けられた管理用空間と、これら全体を包む築山部とからなり、築山部は少なくともブロックを築山の表面に配置しブロック内部に土を充填して形成され、築山部を緑化した防災公園用の防火帯を兼ねた防災用水槽及び倉庫。
【発明の詳細な説明】
【技術分野】
【０００１】
本発明は、災害時の防火帯を兼ねた築山内に設ける防災用水槽及び備蓄用倉庫技術に属する。
【背景技術】
【０００２】
災害時に一時的に公園などにテントを張り地域住民の避難場所とすることが行われている。多くは公園などに設けたコンテナボックスにテントを収納しておき、災害時に使用する例が多い。災害用のテントは仮設用・臨時用として収納に場所をとらず、組立て容易で機械によらず組み立てられることが好ましい。
特開2006-297044にはガスボンベにて膨張させる防災用エアーテントが開示されている。また特開2008-214962には、骨格内に壁シート、屋根シート、床シートからなる袋状のハウスを配置し、骨格の外から屋根シートおよび壁シートをさらにシート部材で覆う仮設テントが開示されている。
大地震に見舞われた場合、関東大震災、阪神神戸地震の例に示されるように地震災害のほかに火災による被害を防止するする必要がある。そのため避難場所の周囲に防火帯を設けて非難住民を保護し、さらに災害時に必要とされる水の確保及び非常用食糧などの備蓄の可能な防災公園用の防火帯を兼ねた防災用水槽及び倉庫が求められている。
【先行技術文献】
【特許文献】
【０００３】
【特許文献１】特開2006-297044
【特許文献２】特開2008-214962
【発明の開示】
【発明が解決しようとする課題】
【０００４】
本発明は、大地震に見舞われた場合、避難場所の周囲に防火帯を設け非難住民を保護し、さらに災害時に必要とされる水及び非常用食糧などを備蓄可能とする防災公園用の防火帯を兼ねた防災用水槽及び倉庫技術の提供にある。
【課題を解決するための手段】
【０００５】
本発明は、災害時に必要とされる水の確保及び非常用食糧などを、防火帯を兼ねた築山内に設ける防災用水槽及び倉庫であって、当該システムは、水槽部とその水槽の側部に設けられた倉庫部と、水槽部の点検用に水槽の上方に設けられた管理用空間と、これら全体を包む築山部とからなり、築山部は少なくともブロックを築山の表面に配置しブロック内部に土を充填して形成され、築山部を緑化した防災公園用の防火帯を兼ねた防災用水槽及び倉庫である。
災害時に必須の水と、非常用部材を周囲の景観を考慮した築山内に設けた水槽と倉庫に備蓄したものである。また、築山の傾斜を強くして築山部を小さくするため、築山表面を覆うブロックで土止めした。
【発明の効果】
【０００６】
本発明は、築山の中に水槽を設置したため地上置きの場合と同様ポンプを使用することなく水の利用が可能となる。また築山の周囲をブロックに土を詰めて形成したため築山の傾斜をきつくすることができ、築山の大きさを小さくすることができる。築山であるため常時は景観を保つことができる。
【図面の簡単な説明】
【０００７】
【図１】は、防災公園用の緑化した築山部内に設けた防災用水槽及び倉庫の概念図である。
【図２】は、本発明の築山表面を覆うために使用するブロックの例を示す。
【発明を実施するための形態】
【０００８】
以下、本発明を図により詳細に説明する。
図1に示す通り、本発明は、緑化した築山部内部に防災用水槽及び倉庫部を設けたものであり、かつ築山は防災公園用の防火帯を兼ねている。
【０００９】
図に示すように本発明は、防火用水槽部、防火水槽の点検用に使用する点検用空間部および非常用の備蓄物資を保管する倉庫部が築山内部に設けられている。
【００１０】
水槽部は外壁がコンクリートあるいは金属で覆われた水槽であり、地震時に破壊されたりしないよう強度を有するものが好ましく、その内部は地震の揺れ２よる水の揺動を吸収するため互いに連通する複数の区画に分割されている。あるいは図2に示すようなブロックが充填されている。
【００１１】
倉庫部は、例えば、ボックスカルバートを水槽の側面に配置し、その内部を備蓄空間としている。備蓄物を出入するための開口部が設けられ、通常時は閉鎖されている。ボックスカルバートは図に示すように側面に平行に設けてもよく、周囲を囲むように設けてもよい。
【００１２】
水槽部の上部には、水槽の点検用の区間が設けられている。側面部にも点検用の通路を設けることもできるが、倉庫部により保護されるため省くことができる。
【００１３】
築山の周囲表面にはブロックを配置し、中に土を充填する。こうすることで土盛りする際の土の傾斜をきつくすることができるため、土盛りするだけの築山と異なりその大きさを小さくすることができる。築山の表面は、適宜緑化し、防火帯となるよう植樹することが好ましい。また防災公園と使用される地域全体を囲むように本発明を実施することが好ましい。
【産業上の利用可能性】
【００１４】
災害などの非常時に一時的に避難民の安全と必要に応じることができる。
【符号の説明】
【００１５】
１  築山
２  水槽部
３  倉庫部
４  点検部
５  ブロック
６  客土
【図１】
2010255281.tif 000003
【図２】
2010255281.tif 000004
(57)【要約】【課題】袋詰めゴミがホッパーやバケットによって供給されてもコンスタントに供給されて安定した破袋処理が行われる破袋機を提供する。【解決手段】フレーム１１に亘設した回転軸１３に、複数のカッタ１７を放射状に取り付け、このカッタ１７の回転軌跡に沿って固定刃２６を配設し、上記固定刃２６の外側周囲をカバー２７で覆い、このカバー２７の上記カッタ１７が上向きに回転する側に投入口２８を設け、上記カッタ１７は回転方向に対して揺動可能で、上記固定刃２６はカッタ１７に対して向き合う方向に鉤状に曲げられ、かつ、千鳥足状に配置し、固定刃２６とカッタ１７とが交互に行き交うようしてなる破袋機において、上記投入口２８の前段に定量供給機構０１を付設したもので、上記定量供給機構０１は、上部を開口し下部を半円筒状の筐体内に回転螺旋翼０２を設けたものである。【選択図】図１
2010284630.tif 000002
【特許請求の範囲】
【請求項１】
フレーム（１１）に亘設した回転軸（１３）に、複数のカッタ（１７）を放射状に取り付け、このカッタ（１７）の回転軌跡に沿って固定刃（２６）を配設し、上記固定刃（２６）の外側周囲をカバー（２７）で覆い、このカバー（２７）の上記カッタ（１７）が上向きに回転する側に投入口（２８）を設け、上記カッタ（１７）は回転方向に対して揺動可能で、上記固定刃（２６）はカッタ（１７）に対して向き合う方向に鉤状に曲げられ、かつ、千鳥足状に配置し、固定刃（２６）とカッタ（１７）とが交互に行き交うようしてなる破袋機において、上記投入口（２８）の前段に定量供給機構（０１）を付設したことを特徴とする破袋機。
【請求項２】
上記定量供給機構（０１）は、上部を開口し下部を半円筒状の筐体内に回転螺旋翼（０２）を設けてなることを特徴とする破袋機。
【発明の詳細な説明】
【技術分野】
【０００１】  この発明は、家庭や事業所から回収したゴミを包んでいるポリエチレン等のゴミ袋を破り去る破袋機に関する。
【背景技術】
【０００２】  本出願人は特願２００７−０３９９８２で「フレーム１１に亘設した回転軸１３に、複数のカッタ１７を放射状に取り付け、このカッタ１７の回転軌跡に沿って固定刃２６を配設し、上記固定刃２６の外側周囲をカバー２７で覆い、このカバー２７の、上記カッタ１７が上向きに回転する側に投入口２８を設け、上記カッタ１７は回転方向に対して揺動可能で、上記固定刃２６は回転するカッタ１７に対して向き合う方向に鉤状に曲げられ、かつ、千鳥足状に配置して固定刃２６とカッタ１７とが交互に行き交うようにし、また、上記カッタ１７および固定刃２６の素材を板バネ材とし、回転軸１３に取り付けたカッタ間に紐状物巻き付き防止棒１９を亘設してなる」破袋機を提案した。【０００３】  上記提案により軽量・小型でありながら処理能力の大きい破袋機を提供できたが、袋詰めゴミの供給手段がコンベアのようにコンスタントに供給される場合は何ら問題なく機能するが、ホッパーやバケットによって供給されると袋入りゴミが一気に供給されるため破袋能力が極端に不安定となってしまうことがある。
【発明の開示】
【発明が解決しようとする課題】
【０００４】  上記状況に鑑み本発明は、袋詰めゴミがホッパーやバケットによって供給されても、破袋機にコンスタントに袋詰めゴミ袋が供給される破袋機を提供しようとするものである。
【課題を解決するための手段】
【０００６】  フレーム１１に亘設した回転軸１３に、複数のカッタ１７を放射状に取り付け、このカッタ１７の回転軌跡に沿って固定刃２６を配設し、上記固定刃２６の外側周囲をカバー２７で覆い、このカバー２７の上記カッタ１７が上向きに回転する側に投入口２８を設け、上記カッタ１７は回転方向に対して揺動可能で、上記固定刃２６はカッタ１７に対して向き合う方向に鉤状に曲げられ、かつ、千鳥足状に配置し、固定刃２６とカッタ１７とが交互に行き交うようしてなる破袋機において、上記投入口２８の前段に定量供給機構０１を付設したもので、上記定量供給機構０１は、上部を開口し下部を半円筒状の筐体内に回転螺旋翼０２を設けたものである。
【発明の効果】
【０００７】  上記の如く構成する本発明によれば、ホッパー等で一気に供給された袋詰めゴミがほぐされてコンスタントに破袋機の本体に供給されて破袋機能が安定する。
【発明を実施するための最良の形態】
【０００８】  次に図面を参照しながら本発明の実施の形態を説明する。フレーム１１に回転軸１３が亘設され、この回転軸１３に複数のカッタ１７が放射状に取り付けられ、このカッタ１７の回転する軌跡に沿って固定刃２６が配設されている。【０００９】  上記固定刃２６の外側周囲は、カバー２７で覆われており、上記カッタ１７は上向き（袋詰めゴミを放り上げる方向）に回転し、かつ、上記カッタ１７は回転方向に対して揺動可能で、上記固定刃２６は回転するカッタ１７に対して向き合う方向に鉤状に曲げられ、整かつ、千鳥足状に配置されて固定刃２６とカッタ１７とが交互に行き交うようになっている。【００１０】  なお、上記カッタ１７および固定刃２６の素材を板バネ材とし、回転軸１３の両端にはフランジ１８が取り付けられ、このフランジ１８間に紐状物の巻き付き防止棒１９を亘設されている。【００１１】  上記回転刃１７の上部で回転方向の上手には袋詰めゴミの定量供給機構０１が設けられている。この袋詰めゴミの定量供給機構０１は、上部に袋詰めゴミ投入口２８に繋がる開口部を設けた略半円筒状の筐体０７内に回転螺旋翼０２が設けられ、回転螺旋翼０２は回転軸０３に取り付けられ、回転軸０３はブラケット０４に取り付けられた軸受け０５に支承され、駆動源０６によって回転するようになっている。【００１２】  ここで回転螺旋翼０２は矢印の方向に回転し、投入された袋詰めゴミは破袋機１０の方向に送り出され、もし、投入された袋詰めゴミが一気に供給されたとしても回転螺旋翼０２によってほぐされながら破袋機１０に定量供給されることとなる。
【産業上の利用可能性】
【００１３】  以上説明したようにこの発明によれば破袋機にバケットやホッパーで一気に袋詰めゴミが投入されても、破袋機に定量供給されて安定した破袋機能を発揮する。
【図面の簡単な説明】
【００１４】
【図１】本発明に係る破袋機の縦断面図
【図２】同平面図
【図３】従来技術に係る破袋機の縦断面図
【図４】図３のＡ−Ａ矢視図
【符号の説明】
【００１５】０１：定量供給機構
０２：回転螺旋翼
０３：回転軸
０４：ブラケット
０５：軸受け
０６：駆動源
０７：筐体
１０：破袋機
１１：フレーム
１２：軸受け
１３：回転軸
１７：カッタ
１８：フランジ
１９：巻き付き防止棒
２１：側板
２２：ブラケット
２３：ステー
２４：アーチ形金具
２５：ブラケット
２７：カバー
２８：ゴミ袋投入口
【図１】
2010284630.tif 000003
【図２】
2010284630.tif 000004
【図３】
2010284630.tif 000005
【図４】
2010284630.tif 000006
(57)【要約】      （修正有）【課題】精米機に脱着可能な玄米を入れる精米機専用カートリッジ式ライスサーバーを提供する。【解決手段】地域によってはあまり身近でない精米機をカートリッジ式にした事により玄米入りカートリッジとして玄米を販売しやすくすると共に、精米機に脱着するまで密閉式なのでとても衛生的でありライスサーバー化することにより何時でも精米したての米を入手出来る事を可能にした。【選択図】図１
2010284631.tif 000002
【特許請求の範囲】
【請求項１】
玄米粉が入ったカートリッジ容器を精米機の所定位置に簡単嵌合できるように設計され、その都度玄米を精米機に入れることなく米の入ったカートリッジ容器簡単着出来る事を特徴とする精米機専用カートリッジ式ライスサーバー。
【請求項２】
精米機専用米カートリッジ容器を精米機に合体する際にカートリッジ側の出口部分をふさいでいる密閉シートを精米機側の凸部分で密閉シートを破り精米機へ米を給米する事を特徴とする請求項１に記載の精米機専用カートリッジ式ライスサーバー
【発明の詳細な説明】
【技術分野】
【０００１】カートリッジ容器に入った玄米を簡単に精米機に脱着可能にした。米宅配業者などが重いカートリッジを簡単に替える事が出来る精米機専用カートリッジ式ライスサーバー
【背景技術】
【０００２】従来の家庭用精米機や自動販売機型精米施設などが有るが重い米を精米機入れる作業は高齢者や主婦にとっても重労働であるし精米機に入れるときに周囲に米をばら撒く可能性もあった。全国的に見ても家庭で精米機を使用する人口は少ないのが現状である。
【発明の開示】
【０００３】これは次のような欠点があった。
（イ）精米機へ玄米を一回ごと入れるのは面倒である。
（ロ）玄米を精米機へ運ぶ作業は重労働である。
（ハ）米の袋を破ってから精米機に混入物が入る可能性がある。
【課題を解決する為の手段】
【０００４】（イ）カートリッジ式にしたので玄米の補充が短時間一回ですむ。宅配業者が扱い易い。
（ロ）精米機をライスサーバにした事により精米した米か身近に成った。
（ハ）精米機本体にカートリッジ脱着と同時にカートリッジ側の密閉シートを破り外気に触れず米が出てくるのでとても衛生的である。
【発明の効果】
【０００５】家庭用の精米機に玄米専用カートリッジを一体化したことにより家庭や店舗用のライスサーバーとして設置やレンタルする事が実現出来る。
脱着方法としてカートリッジ先端部分中蓋を密閉シートで留めて脱着時に精米機側脱着部分中側にある凸部分で密閉シートを破り給米する仕組みになっているので脱着時に容器の中の米を外にばら撒く事が無くしかも衛生的である。
精米機専用カートリッジ付ライスサーバーにした事で米専用配達業者が容器を取り替える作業を簡単にすることが可能である。
【発明を実施する為の最良の形態】
【０００７】  以下、本案の実施の形態について説明する。
玄米を入れる専用カートリッジ容器を精米機側に簡単に脱着することが出来、脱着するまでは蓋と中蓋をアルミ材やビニールで密閉するので玄米を精米機に入れる際にホコリ、ごみ、害虫の混入を防ぐ事が出来る。ウォーターサーバーのように家庭や店舗に設置して何時でも精米した米が本発明のライスサーバーから出てくる。
【図面の簡単な説明】
【０００７】
【図１】精米機専用カートリッジ付ライスサーバー３Ｄ正面図
【図２】カートリッジ開封貫通部品  部分拡大図
【符号の説明】
【０００８】１  精米機専用カートリッジ
２  精米機サーバー本体
３  サーバー本体移動キャスター
４  密閉部崩壊部品
５  カートリッジ受具
６  中蓋密閉アルミシート
【図１】
2010284631.tif 000003
【図２】
2010284631.tif 000004
(57)【要約】【課題】容易にモップ糸の洗浄及び脱水の少なくともいずれか一方を行うことのできるモップ洗浄機を提供する。【解決手段】軸部１３と、軸部１３の一端に設けられるモップ糸取付部１０と、モップ糸取付部１０に取り付けられるモップ糸１２とを有するモップの洗浄及び脱水の少なくともいずれか一方を行うモップ洗浄機１は、水又は洗浄液を溜める容器２０と、容器２０の開口部２１に取り付けられる固定部３１、及びこの固定部３１の径方向内側で回転可能に設けられる可動部３２を有する回転手段３０と、可動部３２から径方向内側に延びてモップ糸取付部１０を係止する係止手段４０を備える。【選択図】図１
2010284514.tif 000002
【特許請求の範囲】
【請求項１】
軸部と、軸部の一端に設けられるモップ糸取付部と、モップ糸取付部に取り付けられるモップ糸とを有するモップの洗浄及び脱水の少なくともいずれか一方を行うモップ洗浄機において、
水又は洗浄液を溜める容器と、
容器の開口部に取り付けられる固定部、及びこの固定部の径方向内側で回転可能に設けられる可動部を有する回転手段と、
可動部から径方向内側に延びてモップ糸取付部を係止する係止手段と、を備えたモップ洗浄機。
【発明の詳細な説明】
【技術分野】
【０００１】
本発明は、モップの洗浄及び脱水の少なくともいずれか一方を行うモップ洗浄機に関する。
【背景技術】
【０００２】
従来、洗浄容器に２枚の板を設け、この間にモップ糸を挟み、加圧することで水切りを行うモップ絞り器が公知である（特許文献１参照）。
【先行技術文献】
【特許文献】
【０００３】
【特許文献１】特開平７−１４８１００号公報
【発明の概要】
【発明が解決しようとする課題】
【０００４】
しかし、このような加圧による方法では、モップ糸の水切りを十分に行うことができなかった。
本発明の目的は、モップ糸の洗浄及び脱水の少なくともいずれか一方を容易に行うことのできるモップ洗浄機を提供することにある。
【課題を解決するための手段】
【０００５】
請求項１に記載のモップ洗浄機は、水又は洗浄液を溜める容器と、容器の開口部に取り付けられる固定部、及びこの固定部の径方向内側で回転可能に設けられる可動部を有する回転手段と、可動部から径方向内側に延びてモップ糸取付部を係止する係止手段を備える。容器と、容器の開口側に設けられ、モップ糸取付部を係止する係止部と、係止部を回転駆動する回転駆動部を備える。
係止部とともにモップ糸取付部及びモップ糸が回転することで、洗浄及び脱水の少なくともいずれか一方を容易に行うことができる。
【図面の簡単な説明】
【０００６】
【図１】本発明の第１実施形態のモップ洗浄機の断面図。
【図２】図１のＡ−Ａ線の断面図。
【図３】本発明の第１実施形態のモップ洗浄機に用いられるモップ。
【図４】本発明の第１実施形態のモップ洗浄機に用いられる別のモップ。
【図５】本発明の第２実施形態のモップ洗浄機の断面図。
【発明を実施するための形態】
【０００７】
以下、本発明の第１実施形態によるモップ洗浄機を図面に基づいて説明する。
図１及び図２に示すように、モップ洗浄機１は、容器２０と、容器２０の開口部２１に設けられる回転手段３０と、回転手段３０から径方向内側に延びてモップ糸取付部１０を係止する係止手段４０を備える。
容器２０には、溝２２が設けられている。容器２０は、水又は洗浄液を溜めることが可能である。
回転手段３０は、容器２０の開口部２１に取り付けられる固定部３１、この固定部３１の径方向内側で回転可能に設けられる可動部３２、この可動部３２を回転駆動するモータ３３、このモータ３３に電流を供給するバッテリーおよび電源コード３４、モータ３３の駆動力を可動部３２に伝達する第１ギア３５および第２ギア３６並びにバランスウェイト３７を有している。
係止手段４０は、可動部３２から径方向内側に延びてモップ糸取付部１０を支持可能な支持部４１、及びモップ糸取付部１０に設けられた孔１１に挿入可能な突部４２を有している。係止手段４０は、モップ糸取付部１０の重心と可動部３２の回転中心とが略同一となるようにモップ糸取付部１０を係止する。
【０００８】
モップ洗浄機１の使用方法について説明する。
モップ糸取付部１０の孔１１に突部４２を挿入し、ストッパ４３を取り付ける。次に蓋５０を被せる。続いて、モータ３３のスイッチ３７をオンする。バッテリー３４からモータ３３に電流が供給され、モータ３３の駆動力が第１ギア３５及び第２ギア３６を経由して可動部３２に伝達されると、可動部３２及び係止手段４０と共にモップ糸取付部１０が回転し、遠心力によりモップ糸１２の脱水が行われる。このとき、容器２０の溝２２により脱水効果が高まる。
一方、容器２０に水又は洗浄液を溜めておけば、モップ糸１２の洗浄を行うことが可能である。
脱水又は洗浄後、容器２０から回転手段３０を取り外し、容器２０から排水する。
【０００９】
モップ洗浄機１に用いられるモップは、図３に示すように、軸部１３と、軸部１３の一端に設けられるモップ糸取付部１０と、モップ糸取付部１０に取り付けられるモップ糸１２とを有する。
軸部１３とモップ糸取付部１０とは、脱着可能である。また、モップ糸取付部１０には、係止手段４０の突部４２が挿入される孔１１が設けられている。
なお、モップ洗浄機１に用いられるモップは、図４に示すように、モップ糸取付部１０が円盤状の円盤部１４を有していてもよい。
【００１０】
（第２実施形態）
図５に示すように、第２実施形態では、係止手段４０の支持部４４の位置が第１実施形態と異なっている。このような構成であってもよい。
【００１１】
（他の実施形態）
上述した第１実施形態では、モータ３３で可動部３２を回転駆動したが、可動部３２の回転は人力によるものであってもよい。
また、係止手段４０は、モップ糸取付部１０の中央部又は両端をクリップするように係止してもよい。
【符号の説明】
【００１２】
１：モップ洗浄機１、１０：モップ糸取付部、１２：モップ糸、１３：軸部、２０：容器、２１：開口部、３０：回転手段、３１：固定部、３２：可動部、４０：係止手段
【図１】
2010284514.tif 000003
【図２】
2010284514.tif 000004
【図３】
2010284514.tif 000005
【図４】
2010284514.tif 000006
【図５】
2010284514.tif 000007
(57)【要約】【課題】◎、現在利用されている電動鉛筆削り器の機能を応用して、一部構造変更、用途変更し、測量作業時の測点を正確視準する為に、部品名（石突）ピンポールの下部先端に取付られている、尖った部品です。◎、現在の石突を使用していると突先が丸く太くなり、測量精度が落ちて使用不能になりますので、本発明の金属ヤスリで（石突を削り）修理し再使用すれば、資源の無駄なく経済効果は大きい。【解決手段】本発明は、現在市販の電動鉛筆削り器を応用し、機能部分の（鉛筆削り部分）構造を改良変更し、金属ヤスリを取付けて、特殊器材（石突の突先を削り修理する）機能に新考案した。【選択図】図１
2010284786.tif 000002
【特許請求の範囲】
【請求項１】
電動（モーター）室区分▲１▼、の歯車▲イ▼、に接続させる新考案特許区分▲２▼、の歯車▲ロ▼より連動する丸型円形ヤスリ▲ハ▼、を回転させる構造と修正必要な石突（消耗品）を挿入させる丸い穴を設けて、石突を削る構造一式の特許請求を申請する。
【請求項２】
尚、石突の修理できる挿入穴の太さは、内径φ１５ｍｍ迄使用できるよう設定する特許請求とする。
【発明の詳細な説明】
【技術分野】
【０００１】この発明は既存「電動鉛筆削り」を応用した考案で、図面▲１▼、の歯車と図面▲２▼、の歯車を組合せて動力を連動させる。旧鉛筆削り刃と新金属ヤスリ▲ハ▼、を取り替て、回転させる構造です、不良品になった石突を石突挿入穴に挿入し、石突を修理するこの技術を特許とする。
尚、石突挿入口穴の壁面に、入口より奥へ５ｍｍ入った位置に、モーター始動スイッチ弁を設け、石突を挿入すると始動弁が押られて、電流が流れ▲１▼、区分のモーターが始動する同時に石突修理ヤスリが回転し、石突が削られる構造です。
【背景技術】
【０００２】現在の電動鉛筆削り器具の応用で、（削り刃）に替て「新考案の金属ヤスリ」を取付けて、不良品になった石突を修理し再使用する。
【発明の開示】
【発明が解決しようとする課題】
【０００３】次のような欠点があった。
（１）、現在の石突は突先が丸く太くなった場合、捨ており資源を無駄にしている。
（２）、石突の突先が変形すると、測点の中心点を測定できず精度が落ちる原因になる。
【課題を解決するための手段】
【０００４】
2010284786.tif 000003
石突の突先を当金属ヤスリを回転させ、突先を削り再利用することで、大切な資源をまもる。
（２）、修正する石突の挿入口穴を現在のピンポール等の太さに合わせて設定する。
本発明は、測点の中心点に設置して使用するピンポールの先端に取付使用するが、じきに突先が変形し太くなって正確さを失う、ので再利用できるよう考案し発明した。
【発明の効果】
【０００５】現在は石突の突先が丸く太くなった場合下記のように処理しています。
（１）、ピンポールと一体の石突は消耗品として捨てております。
（２）、ピンポールと下部でネジ込式の石突は石突だけ捨てております。
発明により石突が再使用できるため、無駄なく資源を大切にできます。
【発明を実施するための最良の形態】
【０００６】測量業者及び建設業者の測量作業において、測点に正確にポール又はピンポール等を視準点の中心に設置でき、測量精度の向上に寄与できる。
尚、測量器材の石突に無駄なく、作業も円滑に進み屋外でも、電気があれば即く石突修理が可能になります。
【図面の簡単な説明】
【０００７】
【図１】本発明の図面は別紙起動モーター区分▲１▼、の動力伝動歯車▲イ▼、から機能区分▲２▼、の回転調整歯車▲ロ▼、に回転を伝え更に機能歯車▲ニ▼、に連動し、当発明（石突削り部分）の金属ヤスリ▲ハ▼、に回転力を伝える構造です。
【図２】機能区分▲２▼、の金属ヤスリ▲ハ▼、及び消耗した石突を挿入する挿入口穴▲ホ▼、を設け石突を挿入すると、電流が流れる自動スイッチ弁が押されてモーターが始動する。石突挿入口穴▲ホ▼、の中心軸を中心とした中心より¢９．１ｍｍの石突挿入穴を設ける。
【符号の説明】
【０００８】▲１▼、起電動モーター区分
▲２▼、機能区分（新考案）
▲イ▼、モーター直結歯車
▲ロ▼、減速歯車
▲ニ▼、機能連動組歯車
▲ハ▼、発明部分金属ヤスリ
▲ホ▼、石突挿入口穴
▲ヘ▼、電流自動スイッチ弁
【図１】
2010284786.tif 000004
【図２】
2010284786.tif 000005
(57)【要約】【課題】  強靭で耐久性のある合成樹脂、或いは紙と合成樹脂の混合物からなる合成紙であるにも関わらず、廃棄の際に容易に手で引裂き破断できる合成紙を提供する。【解決手段】  合成紙の外周の任意の箇所をマイクロミシンの破断により断裁し、前記マイクロミシンの破断により断裁された前記任意の箇所の端面を多数の切れ目を含む凹凸状態に形成する。【選択図】図１
2010284790.tif 000002
【特許請求の範囲】
【請求項１】
合成紙の外周の任意の箇所がマイクロミシンの破断により断裁されてなり、前記マイクロミシンの破断により断裁された前記任意の箇所の端面が多数の切れ目を含む凹凸状態を呈することを特徴とした引裂き破断が可能な合成紙。
【発明の詳細な説明】
【技術分野】
【０００１】  本発明は、合成樹脂からなる用紙、或いは紙と合成樹脂が混合された用紙に関する。
【背景技術】
【０００２】  最近、耐久性を備えている用紙として合成紙と称されるものが利用され始めている。
前記合成紙として例えばユポ・コーポレーション製の「ユポ」（商標登録製品）がある。
このものはポリプロピレン、無機充填材、添加剤を原料とし、二軸延伸フィルム成形法により製膜されており、雨や汚れに強く美しく仕上がるために屋外ポスターや出版・地図など各種商業印刷等で利用されている。
【発明の概要】
【発明が解決しようとする課題】
【０００３】  前記「ユポ」に代表される合成紙はその耐久性、強靭性がとくに際立っている。例えば手で引裂いて破断することはほぼ不可能である。従って、仮に個人的な情報が記載された印刷物に使用された場合、廃棄する際に手で引裂き個人情報を破壊して廃棄することができず、従ってシュレッダーに通す等の別手段を講じなければならない。
本発明は、前記問題に鑑み、仮に強靭な耐久性を持つ合成紙であっても、廃棄に際して容易に引裂き破断することができる合成紙を提供するものである。
【課題を解決するための手段】
【０００４】  上記問題を解決するために、本発明の引裂き破断が可能な合成紙は、合成紙の外周の任意の箇所がマイクロミシンの破断により断裁されてなり、前記マイクロミシンの破断により断裁された前記任意の箇所の端面が多数の切れ目を含む凹凸状態を呈することを特徴としている。【０００５】  前記マイクロミシンの破断は、必ずしも合成紙（合成樹脂或いは合成樹脂と紙繊維の混合物も包含する）の全周に渡って施される必要はなく、例えば任意の縁辺に施されても構わず、或いは任意の縁辺の一部の特定箇所に施されていても構わない。
即ち合成紙の周囲の何れの部分からでも引裂き破断が可能に設計しても、或いは特定の箇所のみで引裂き破断が可能になるように設計しても構わない。何れにしてもマイクロミシンの破断により断裁されることでその端面が多数の切れ目を含む凹凸状態を呈する部分から容易に引裂き破断が可能になるのである。【０００６】  引裂き破断が可能な合成紙の外周の断裁は、例えばトムソンで行う場合、通常の断裁用の刃に替えてマイクロミシン刃を装着して使用したり、或いは丸刃のマイクロミシン刃を使用してスリットすればよい。また公知のその他の断裁手法を使用しても構わない。【０００７】  前記マイクロミシンにおけるカットとアンカットの比率に制限はなく、要は、断裁された辺における多数の切れ目を含む凹凸状態を呈する端面から合成紙を破断することを可能にする程度のミシンであればよい。そのようなミシンとしては、本発明者等の実験によれば、カット長さ０．２ｍｍ〜０．８５ｍｍ、アンカット長さ０．１ｍｍ〜０．２５ｍｍの比率を有するマイクロミシンを好適に選択することができ、そのような組み合わせの比率の中でも、例えばカット長さ０．５ｍｍ：アンカット長さ０．１５ｍｍ、カット長さ０．２５ｍｍ〜アンカット長さ０．１５ｍｍ、或いはカット長さ０．３５ｍｍ：アンカット長さ０．１ｍｍ等の比率を好適に採用してもよい。【０００８】  なお、前記マイクロミシンの形状にも制限はなく、カット部分が例えば通常通りの直線状や曲線状のスリットで形成されていてもよく、またカット部分として円形やその他の形状の微細な穴が連続的に形成されてミシンとされていても差し支えない。
【発明の効果】
【０００９】  上述したように、本発明に係る引裂き破断が可能な合成紙によれば、強靭な耐久性を持ちながらも廃棄する際には任意の箇所から容易に手で引裂き破断することができる。従って個人情報を含む各種印刷物やカード等にも使用することができ、廃棄の際にシュレッダー等の特殊機械を必要としない。
【図面の簡単な説明】
【００１０】
【図１】  本発明の合成紙の平面図である。
【図２】  本発明の異なる例を示す平面図である。
【発明を実施するための形態】
【００１１】  図１に示すように、本発明の引裂き破断が可能な合成紙Ｓは、その周囲の辺１、２、３、４がマイクロミシンの破断により断裁されており、そのため前記断裁された辺１、２、３、４の端面が多数の切れ目を含む凹凸状態を呈している。従って任意の辺の任意の箇所で引裂き動作を行うと容易に破断ができる。
【００１２】  図２に示すように、例えば一辺の任意の箇所にマイクロミシンで破断可能な部分Ｈを形成しておく。このようにしておけば、その部分のみで引裂き破断が可能になる。
【００１３】  なお、本発明にいうところの合成紙は既述の「ユポ」のように合成樹脂からなるもの以外に、例えば合成樹脂と紙繊維の混合物であっても構わない。
【符号の説明】
【００１４】    Ｓ  合成紙
Ｈ  破断可能な部分
１、２、３、４  辺
【図１】
2010284790.tif 000003
【図２】
2010284790.tif 000004
(57)【要約】【課題】タイル面、鉄板、硬質パネル等にドリル錐で穴を開け様とする時、ドリル錐の踊り、跳ねを、最小限に抑え、穴あけを容易にする事の手助けをする工具を提供する。【解決手段】固定板の密着固定にウレタンエラストマーを使用、ドリル錐誘導部品装着で錐の回転を安定させ、容易に穴を開ける事を手助けする工具である。【選択図】図１
2010284789.tif 000002
【特許請求の範囲】
【請求項１】
（イ）本体固定板の低に、タイル面、鉄板面、硬質パネル面に密着固定させる為にウレタンエラストマーを使用。
（ロ）本体固定板の上部に、ドリル錐誘導部品装着台符号３を設ける。
（ハ）ドリル錐で穴あけ様とする時に振動で、ドリル錐誘導部品の浮き上がり脱落を防止する為、符号６を設ける、以上の構成から成る固定板。
【請求項２】
（Ａ）ドリル錐誘導部品は金属製の筒型とする。
（Ｂ）ドリル錐誘導部品上部に脱着締め付けを容易にする為取っ手を設ける。
（Ｃ）ドリル錐誘導部品上部中央に錐挿入穴を設ける。
（Ｄ）ドリル錐誘導部品上部中央の錐挿入部の補強を金属製のリングで設ける。
（Ｅ）ドリル錐誘導部品胴筒部分に浮き上がり脱落防止爪凸部を設ける。
（Ｆ）ドリル錐誘導部品胴筒内部を補強する為金属にて、符号１０、符号１２を設ける以上の構成から成るドリル錐誘導部品。
【発明の詳細な説明】
【技術分野】
【０００１】本発明は、建築、建設工事分野において、タイル、鉄板、硬質パネル等に、ドリル錐で穴を開けるのを容易にする為の工具に関する物である。
【背景技術】
【０００２】ドリルでタイル壁面や床面に穴を開け様とするとき、ドリル錐が踊り跳ねるため、決めた位置に開けられずに困って居た。
【発明の開示】
【発明が解決しようとする課題】
【０００３】本発明によりタイル壁面、鉄板面、硬質パネル面の、壁面床面を問わずドリルで穴を開け様とする時、ドリル錐が踊って容易に所定の位置に穴を開ける事が出来無かった。本発明は、これ等の問題点を解決する為に成された物である。
【課題を解決する為の手段】
【０００４】固定板を密着固定させる為に、ウレタンエラストマーを本発明の固定板に使い、本発明を密着固定させ。ドリル錐誘導部品のタイル、鉄板、硬質パネル等、開け様とする用途に応じたドリル錐の穴の部品を使用する事で、ドリル錐が踊り指定の所に開けられ無かったのを解消する。
【発明の効果】
【０００５】ドリル錐で穴を開け様とする時、最小限の錐のブレで容易に穴を開ける事が出来る。
【発明を実施する為の最良の形態】
【０００６】  以下、本発明の実施の形態についての説明。
（イ）固定板（１）の下部に密着固定用にウレタンエラストマー図２及び図３図５図６図１３の符号（２）を設ける。固定板の上部には、ドリル錐誘導部品取り付け固定台符号（３）を設ける
（ロ）固定板はプラッチックで形成。
（ハ）固定版にはドリル錐の中心点を出す為符号（１４）を設ける。
（ニ）ドリル錐誘導部品の天板中央に錐穴を設ける（各々タイル錐鉄錐使用錐に適応した穴を設ける）。
（ホ）ドリル錐誘導部品固定台符号（３）にドリル錐誘導部品装着使用時に、部品の浮き上がり脱落を防止するため、固定版に凹凸部符号（６）と、ドリル錐誘導部品に、凸部符号（１１）を設ける事により、タイル壁垂直面及び天井に密着固定板を取り付け、錐使用時に置いて振動で浮き上がり脱落を防止する為に此れを設ける。
【図面の簡単な説明】
【０００７】
【図１】本発明の斜視図。（固定板にドリル錐誘導部品装着時における斜視図）
【図２】本発明の固定板にドリル錐誘導部品装着時Ｃ側面図。
【図３】本発明の固定板の底面図。
【図４】本発明の固定板の平面図。
【図５】本発明の固定板のＡ−Ａ断面図。
【図６】本発明の固定板のＡ−Ａドリル錐誘導部品装着部拡大図。
【図７】本発明のドリル錐誘導部品の斜視図。
【図８】本発明のドリル錐誘導部品の平面図。
【図９】本発明のドリル錐誘導部品の底面図。
【図１０】本発明のドリル錐誘導部品のＢ−Ｂ側面断面図。
【図１１】本発明のドリル錐誘導部品のＦ側面図。
【図１２】本発明のドリル錐誘導部品のＥ側面図。
【図１３】本発明の固定板ウレタンエラストマー取り付け部分断面図。
【符号の説明】
【０００８】（１）    固定板（プラスチック製）。
（２）    固定板密着用ウレタンエラストマー。
（３）    ドリル錐誘導部品装着台。
（４）    ドリル錐誘導部品胴筒補強天板。
（５）    ドリル錐誘導部品装着及び取り外し時取っ手。
（６）    固定板におけるドリル錐誘導部品脱落防止爪凸部押さえ部分。
（７）    錐穴補強リング。
（８）    固定板におけるドリル錐誘導部品装着穴。
（９）    ドリル錐誘導部品胴筒。
（１０）  ドリル錐誘導部品胴筒全体補強部材。
（１１）  ドリル錐誘導部品における脱落防止爪凸部分。
（１２）  ドリル錐誘導部品錐誘導穴低部補強。
（１３）  ドリル錐誘導部品装着台における浮き上がり脱落防止爪凸部符号１１受け入れ部。
（１４）  固定板においてドリル錐誘導部品の中心点を出す為の直角対角線目印。
（Ｃ）    固定板側面。
（Ｄ）    固定板側面。
（Ｅ）    ドリル錐誘導部品側面
（Ｆ）    ドリル錐誘導部品側面
【図１】
2010284789.tif 000003
【図２】
2010284789.tif 000004
【図３】
2010284789.tif 000005
【図４】
2010284789.tif 000006
【図５】
2010284789.tif 000007
【図６】
2010284789.tif 000008
【図７】
2010284789.tif 000009
【図８】
2010284789.tif 000010
【図９】
2010284789.tif 000011
【図１０】
2010284789.tif 000012
【図１１】
2010284789.tif 000013
【図１２】
2010284789.tif 000014
【図１３】
2010284789.tif 000015
(57)【要約】【課題】珪藻土吸湿性の高い研磨剤を可能とし、硬質表面を効率よく研磨することで問題の解決を図る。【解決手段】吸湿性の高い珪藻土の多孔質体、セラミックにアルカリ性水溶液含有の研磨剤を使用する。【特許請求の範囲】
【請求項１】
珪藻土の多孔質体、セラミックにアルカリ性水溶液含有の研磨剤。
【請求項２】
珪藻土焼成粒を１，０００℃に製造する。その研磨剤の製造方法。
【請求項３】
アルカリ性水溶液をｐｈ１０に製造する。その研磨剤の製造方法。
【発明の詳細な説明】
【技術分野】
【０００１】研磨において有用な研磨剤を珪藻土の多孔質体にアルカリ性水溶液を添加してなる天然素材の研磨剤を提供する。【０００２】本発明は、硬質表面の研磨に関するものである。
【背景技術】
【０００３】従来の研磨剤は、布類に砥粒付着の使用で研磨面を磨きあげていた。
【発明の開示】
【発明が解決しようとする課題】
【０００４】上記研磨において，研磨面に傷やスジ、くもりが入り各所に難点がみられ、さらに、均一な艶出し等の問題解決が求められた。【０００５】本発明は、硬質表面を珪藻土にアルカリ性水溶液で簡単かつ素早く研磨ができることで問題解決を図る。【０００６】従って、本発明においては他に類をみない、珪藻土にアルカリ性水溶液ｐｈ１０を含有することで、その提供を目的とする。
【課題を解決するための手段】
【０００７】本発明は、珪藻土を１０００℃の温度焼成にすることにより、特有の多孔質体の比表面積が完成される。吸湿性にアルカリ性水溶液を生成させる製造方法にある。【０００８】本発明は、袋状形状や容器状形状に装填されてなる研磨剤及びその製造方法。
【発明の効果】
【０００９】本発明によると珪藻土の微粒子の多結晶粒子を生成する工程に、アルカリ性水溶液を添加し、接触させて工程となる研磨剤。
研磨剤処理することが可能であり、工事速度も速く社会的負担も少なく済む。【００１０】研磨作業が容易であり、他の研磨剤と併用することでの効果も十分に発揮される。
【発明を実施するための最良の形態】
【００１１】珪藻土微粒子を多結晶粒子に生成し、アルカリ性水溶液を保持させることによっての研磨剤を得た。【００１２】上記珪藻は１０００℃の焼成粒に製造した。【００１３】上記アルカリ性水溶液をｐｈ１０に製造した。【００１４】本発明の研磨剤は、多孔質体の細孔構造、多孔質体特性、セラミック特性を十分に発揮する珪藻土微粒子にアルカリ性水溶液を袋状、容器においては形状に制限をしないことを特徴とした。
【産業上の利用可能性】
【００１５】研磨剤は数多くある為、簡易に改善できることは産業上の無駄がない。
(57)【要約】【課題】角パイプ・丸パイプの中に、簡易治具を使用してナット・ボルトなどを溶接により固着を用意に行なえる加工方法を提供する。【解決手段】角パイプ等に穴を明け、簡易治具の上にナット・ボルトなどを置き、角パイプ等の外側からレーザー光による熱を貫通させて母材である角パイプとナットなどを溶着させる。【選択図】図１
2010284718.tif 000002
【特許請求の範囲】
【請求項１】
角パイプ等に穴を明け、簡易治具の上にナット・ボルトなどを置き、角パイプ等の外側からレーザー光による熱エネルギーを貫通させて母材である角パイプとナットなどを溶着させることを特徴とする溶接方法。
【発明の詳細な説明】
【技術分野】
【０００１】  本発明は、金属製品にレーザー光の熱エネルギーを使用してナット等を溶接する加工方法に関する分野のものである。
【背景技術】
【０００２】  従来、角パイプ等にナットを取り付ける方法としては、ナットをカシメル方法・溶接ナットを線溶接する方法・プレートに雌ネジ加工したものを溶接する方法などによるのが一般的である。
【先行技術文献】
【０００３】
【特許文献１】特開２００６−２８３８８４発明の名称「溶接ナット」
【特許文献２】特開２００２−２９５４３５発明の名称「ナット取付構造」
【特許文献３】特開平８−１５５６６４発明の名称「ナットの結合構造及びその結合方法」
【特許文献４】特開平８−０９３７３８発明の名称「ナットの結合構造及びその結合方法」
【特許文献５】特開平７−０２７１２３発明の名称「ナットおよびナットの溶接方法」
【発明の概要】
【発明が解決しようとする課題】
【０００４】  従来の加工方法によれば、カシメが緩んだり、外れたり、引っ張り強度が少なかったりと言った強度面の欠点を有していたがこれらの欠点を排除しようとするものである。【０００５】  また、従来の線溶接による方法では、熱歪みを発生させる、量産性がない、品質の確保が出来ないなどの欠点を有していたがこれらの欠点を排除しようとするものである。【０００６】  さらに、プレート加工では、製作コストが高く付いたり、熱歪みを発生させたり、外観が悪かったり、引っ張り強度が不足するなど多くの問題を発生していたがこれらの欠点をも排除しようとするものである。
【課題を解決するための手段】
【０００７】  課題を解決するための手段として、角パイプ等に穴を明け、簡易治具の上にナット・ボルトなどを置き、角パイプ等の外側からレーザー光による熱を貫通させて母材である角パイプとナットなどを溶着させることにした。
【発明の効果】
【０００８】  本発明の加工方法によれば、角パイプ等に規格品のナットを溶接する方法であるので、加工上の様々な問題点を低コストで排除でき、具体的には、下記のような効果をあげることが出来る。【０００９】  本発明では、レーザー光の熱を利用することにより、外れ難い、規格品のナットが使用できる、機械加工によれるので均一加工が出来る、熱歪みを最小限に抑えることができる、パイプなどの内側にナットを取り付けことができるので外観を綺麗にできる、などの効果が得られる。
【図面の簡単な説明】
【００１０】
【図１】本発明のレーザー光によるパイプの内側にナット溶接した状態の断面図である。
【図２】従来工法によるパイプの外側にナット溶接した状態の断面図である。
【発明を実施するための最良の形態】
【００１１】  図１に示すように貫通溶接であり、強度を確保できるものであり、レーザー光を用いて母材であるパイプとナットの接触面に必要な熱エネルギーを与えて溶接するのが最良の実施形態である。
【実施例】
【００１２】  「請求項１」の実施形態の例として、図１に示すように貫通溶接であり、強度を確保できるものである。
【産業上の利用可能性】
【００１３】  従来の加工方法では、熱歪みと強度に問題点があったが、本発明の加工方法では、規格品のナットを使用することが出来るので、コスト低減と外観の見栄えをよくすることが出来る。このように本発明は、汎用性があり広く産業界で利用できる場面を有している。
【符号の説明】
【００１４】１  下穴加工部
２  レーザー光
３  ナット
４  タップ加工部
５  溶接部
６  カシメ
【図１】
2010284718.tif 000003
【図２】
2010284718.tif 000004
(57)【要約】【課題】盛り付ける料理に応じて、仕切り付き皿、仕切り無し皿の両方の使い方が可能な食事用皿を提供する。【解決手段】仕切り（1）を設けた仕切り付き皿面（2）の裏面に、仕切り無し皿面（3）を設けた食事用皿を特徴とする。【選択図】  図１
2010284289.tif 000002
【特許請求の範囲】
【請求項１】
仕切り（1）を設けた仕切り付き皿面（2）の裏面に、仕切り無し皿面（3）を設けた食事用皿。
【発明の詳細な説明】
【技術分野】
【０００１】
この発明は、皿の裏表両面に料理を盛れる窪みを設け、そのうちの一方の面に仕切りを設けた食事用皿に関するものである。
【背景技術】
【０００２】
従来の仕切り付き食事用皿は仕切りをつけた表面にしか料理を盛り付ける事が出来なかった。
【発明の概要】
【発明が解決しようとする課題】
【０００３】
これは次の様な欠点があった。
従来、仕切り付き皿は複数の料理や調味料等を、一枚の皿に盛り付けられる利点がある反面、単一の料理のみを盛り付ける場合は、その仕切りが邪魔になる事もあった。
本発明は、以上の様な欠点をなくすためになされたものである。
【課題を解決するための手段】
【０００４】
仕切り（1)を設けた仕切り付き皿面（2）の裏面に、仕切り無し皿面（3）を設ける。
本発明は、以上の構成よりなる仕切り付き皿である。
【発明の効果】
【０００５】
仕切り（1）を設けた仕切り付き皿面（2）と、仕切り無し皿面（3）の2面を有する為、盛り付ける料理に応じて仕切り有り、無しのどちらか適した面を選んで使い分ける事が可能となる。
【発明を実施するための最良の形態】
【０００６】
以下、本発明を実施例の図面に基づいて説明する。
第１図は本発明の実施例を示す断面図である。
第２図は本発明の実施例の仕切り付き皿面を示す斜視図である。
第３図は本発明の実施例の仕切り無し皿面を示す斜視図である。
第４図は本発明の実施例２の仕切り付き皿面を示す斜視図である。
第５図は本発明の実施例２の仕切り無し皿面を示す斜視図である。
仕切り（1)を設けた仕切り付き皿面（2）の裏面に、仕切り無し皿面（3）を設ける。
本発明は、以上の様な構造である。
これを使用するときは、盛り付ける料理に応じて、仕切り付き、仕切り無しのどちらか適した面を選択して使用する。
【図面の簡単な説明】
【０００７】
【図１】本発明の実施例１を示す断面図である。
【図２】本発明の実施例１の仕切り付き皿面を示す斜視図である。
【図３】本発明の実施例１の仕切り無し皿面を示す斜視図である。
【図４】本発明の実施例２の仕切り付き皿面を示す斜視図である。
【図５】本発明の実施例２の仕切り無し皿面を示す斜視図である。
【符号の説明】
【０００８】
1 仕切り
2 仕切り付き皿面
3 仕切り無し皿面
【図１】
2010284289.tif 000003
【図２】
2010284289.tif 000004
【図３】
2010284289.tif 000005
【図４】
2010284289.tif 000006
【図５】
2010284289.tif 000007
(57)【要約】 【課題】従来の小型洗濯機では洗いとすすぎのみを行うことができるが、脱水まで一体となったものはなかった。台所周りでは頻繁にフキンを使用するが、通常の洗濯は一日に一回程度であり、時間が経つと雑菌が繁殖しにおいのもとになってしまう。衛生面からも、ふきんを使用後すぐに手軽に台所で洗濯できる洗濯機が必要だと考えられる。【解決手段】洗濯槽の内部に穴の開いた内槽を取り付け、下台体中のモーターをICコンバータで制御することで、洗濯槽の正、逆回転、回転速度、時間の制御を可能にし、洗い、すすぎ、脱水が可能になる。現在の技術を集約させ小型化を達成して持ち運び可能にすることで、労働時間の短縮、労働負荷の軽減、衛生面の問題を解決する。【選択図】図１
2010284215.tif 000002
【特許請求の範囲】
【請求項１】
構造が精巧で容量は小さく設計されているため、少量で軽く薄いふきん等の洗濯に適し、手軽にふきん等を洗濯することができ、衛生的であることを特徴とする小型洗濯機。
【請求項２】
通常の大きさの洗濯機と同様に内槽を取り付けることで、洗い、すすぎ、脱水の洗濯における全ての工程が自動化された請求項１に記載の小型洗濯機。
【発明の詳細な説明】
【技術分野】
【０００１】
本発明は、家庭の台所・洗面所・浴室等のスペースが限られたところで、少量のふきん・ハンカチ等の洗い、すすぎ、脱水が可能な小型の洗濯機に関するものである。
【背景技術】
【０００２】
台所周りでは頻繁にふきんを使用するが、通常の洗濯は一日に一回程度であり、時間が経つと雑菌が繁殖しにおいのもとになってしまう。衛生面からも、ふきんを使用後すぐに手軽に台所で洗濯できる洗濯機が必要だと考えられる。
【０００３】
以下、従来の小型洗濯機について説明する。従来の小型洗濯機（例えば、非特許文献１参照。）では、洗い、すすぎのみを行うものが一般的であり、また小型の脱水機（例えば、非特許案文献２参照。）も提案されているが、洗い、すすぎ、脱水を兼ね備えた小型の洗濯機はない。
【先行技術文献】
【非特許文献】
【０００４】
【非特許文献１】登録実用新案第３０８７６３８号
【非特許文献２】実用新案公開平０６‐０２４６８７
【発明の概要】
【発明が解決しようとする課題】
【０００５】
前記非特許文献に記載されている従来の小型洗濯機では、洗い、すすぎしかできず、脱水のために手でしっかりと絞ろうとすると、以外に力が必要で片手がふさがったときなどは絞ることもできなくなり、労働時間も増加してしまう。
【０００６】
本発明は洗いとすすぎと乾燥を一台の洗濯機で行うことで、乾燥を早く行い労働時間を短くし、かつ労働負荷を軽減することができる小型洗濯機である。
【課題を解決するための手段】
【０００７】
従来の小型洗濯機では、小さな構造に脱水可能な洗濯槽と、それを駆動する正・逆回転、回転速度、時間の制御を可能にする制御系を小型にまとめることが困難であったが、近年の技術革新によるノウハウを集約させて、小型モーター、制御系，駆動系を構成する。
【発明の効果】
【０００８】
本発明の小型洗濯機は洗いとすすぎと乾燥を一台の洗濯機で行うことで、乾燥を早く行い労働時間を短くすることができる。
【０００９】
また、力が必要な洗濯物を絞るという動作が自動化されるので、労働付加を軽減することができる。
【００１０】
理髪美容店、飲食店等の業務用として使用も可能であり、ホテル、旅館などの洗面室に備えることで、下着類、ハンカチ、靴下等小物の洗濯ができ、旅行者、出張者には便利である。持ち運びも可能なので、清潔な環境が維持でき、病院等医療用にも応用可能である。
【図面の簡単な説明】
【００１１】
【図１】本発明の組立図
【図２】洗濯槽の上面図
【図３】本発明の分解図
【実施例】
【００１２】
以下、上記の動作を説明する。
図１〜図３を参照しつつ、本発明の実施例を示す・
１．下台体２０中に電池を入れる 
２．洗濯物（０．３kg以下）と水２L、適量の洗剤を内槽１１に入れ、フタ３０を設置する
３．「洗い・すすぎ」スイッチ２２を押す
４．内槽１１が停止したら外槽１０とフタ３０を取り外し、水を捨てる
５．外槽１０を下台体２０に設置し、再び水２Lを入れフタ３０を設置する
６．「洗い・すすぎ」スイッチ２２を押す
７．内槽１１が停止したら外槽１０とフタ３０を取り外し、水を捨てる
８．外槽１０を下台体２０に設置し、フタ３０を取り付ける
９．「脱水」スイッチ２３を押す
１０．脱水が完了したら外槽１０とフタ３０を取り外し、水を捨てる
１１．洗濯物を取り出して干す
いずれかの工程の途中で止めたいときは「ＯＦＦ」スイッチ２４を押す
【符号の説明】
【００１３】
１０  外槽
１１  内槽
１２  ガイド
１３  取手
１４  パルセータ
１５  回転軸A
１６  櫛歯
２０  下台体
２１  回転軸B
２２  「洗い・すすぎ」スイッチ
２３  「脱水」スイッチ
２４  「OFF」スイッチ
３０  フタ
【図１】
2010284215.tif 000003
【図２】
2010284215.tif 000004
【図３】
2010284215.tif 000005